(57)【要約】【課題】  ＬＡＮ中でオペレーションシステム未起動のコンピュータ装置に対して遠方よりリモートコントロール操作を行なうのに用いられるリモートコントロール装置の提供。【解決手段】  このリモートコントロール装置はオンラインモジュールとリモートコントロールモジュールを具えている。オンラインモジュールはＭＡＣ（Ｍｅｄｉａ  Ａｃｃｅｓｓ  Ｃｏｎｔｒｏｌ）データテーブルに基づいて操作者がリモートコントロールしようとするコンピュータ装置とその所属するＭＡＣアドレスでオンライン接続し、並びにバーチャルＩＰをコンピュータ装置に賦与する。リモートコントロールモジュールはＴＣＰ／ＩＰプロトコルで既にバーチャルＩＰを賦与されたコンピュータ装置に対してリモートコントロール規則によりリモートコントロールを行なう。【選択図】        図１
2006309501.tif 000002
【特許請求の範囲】
【請求項１】
ＬＡＮ中でオペレーションシステム未起動のコンピュータ装置に対して遠方よりリモートコントロール操作を行なうのに用いられるリモートコントロール装置であって、該リモートコントロール装置は、
ＭＡＣ（Ｍｅｄｉａ  Ａｃｃｅｓｓ  Ｃｏｎｔｒｏｌ）データテーブルに基づいて操作者によるリモートコントロール対象であるコンピュータ装置と、その所属するＭＡＣアドレスでオンライン接続を構築し、並びにバーチャルＩＰをコンピュータ装置に賦与する、オンラインモジュールと、
ＴＣＰ／ＩＰプロトコルで既にバーチャルＩＰを賦与されたコンピュータ装置に対してリモートコントロール規則によりリモートコントロールを行なう、リモートコントロールモジュールと、
を具えたことを特徴とする、リモートコントロール装置。
【請求項２】
請求項１記載のリモートコントロール装置において、コンピュータ装置がネットワークパッケージプロセッサを具え、該ネットワークパッケージプロセッサがレジスタ中に一時的に保存されたバーチャルＩＰにより、オペレーションシステム未起動の情況下で、ＴＣＰ／ＩＰプロトコルで遠方のリモートコントロール装置と相互に通信することを特徴とする、リモートコントロール装置。
【請求項３】
請求項１記載のリモートコントロール装置において、コンピュータ装置が更に、
ハードディスクを少なくとも作業領域とバックアップ領域に区分し、並びに該作業領域を複数のシステム領域に区分し、並びに保護状態を各システム領域に賦与し、並びにコンフィギュアモード下で該保護状態に基づきオペレーションシステムを該作業領域中の対応するシステム領域にインストールするディスク制御ユニットを具えたことを特徴とする、リモートコントロール装置。
【請求項４】
請求項３記載のリモートコントロール装置において、保護状態が暗号化処理、再構築処理或いはそれらを組み合わせた処理のいずれかとされうることを特徴とする、リモートコントロール装置。
【請求項５】
請求項４記載のリモートコントロール装置において、再構築処理がバックアップ処理と還元処理を包含し、コンピュータ装置が更に、
コンフィギュアモード下でインストールされたオペレーションシステムとそれが保存するデータをバックアップ領域中にバックアップし、並びにバックアップ領域中にバックアップされたオペレーションシステムとそれが保存するデータを、作業領域の対応するセクタ中に還元するディスク制御ユニットを具えたことを特徴とする、リモートコントロール装置。
【請求項６】
請求項５記載のリモートコントロール装置において、リモートコントロール規則は操作者の選択に基づき、ディスク制御ユニットに対するリモートコントロールによりハードディスクに対して、作業領域とバックアップ領域に区分し、作業領域を更に複数のシステム領域に区分し、保護状態を各システム領域に賦与し、オペレーションシステムを作業領域中の対応するシステム領域にインストールし、オペレーションシステムとそれが保存するデータをバックアップ領域中にバックアップするか、或いはオペレーションシステムとその保存するデータを作業領域の対応するセクタ中に還元する操作を行なうことを特徴とする、リモートコントロール装置。
【請求項７】
請求項１記載のリモートコントロール装置において、コンピュータ装置が、更に、
ディスク制御ユニット起動の権限を検証し、コンピュータ装置に出入りする全てのパッケージを走査し、及び安全でないパッケージを封鎖するのに用いられるファイヤウォールユニットを具えたことを特徴とする、リモートコントロール装置。
【請求項８】
請求項７記載のリモートコントロール装置において、リモートコントロール規則は操作者の選択に基づき、ファイヤウォールユニットのリモートコントロールにより走査の結果及びパッケージの封鎖を処理することを特徴とする、リモートコントロール装置。
【発明の詳細な説明】
【技術分野】
【０００１】
本発明は一種のリモートコントロール装置に係り、特に、ＬＡＮ中でオペレーションシステム未起動のコンピュータ装置に対して遠方よりリモートコントロール操作を行なうのに用いられるリモートコントロール装置に関する。
【背景技術】
【０００２】
伝統的に、ネットワーク管理者は企業内の各コンピュータに特定のソフトをインストール或いは配布（ｄｉｓｔｒｉｂｕｔｅ）する時、いずれも各コンピュータの前に座りこのソフトのインストールを実行しなければならない。しかし、現在企業内ネットワークは日増しに複雑化、大型化しており、ネットワーク管理者がこのような方法でこのインストール任務を実行するのは大変である。
【０００３】
このような配布の問題を克服するため配布式管理ソフト或いは遠方からリモートコントロールするリモートコントロールソフトが次々と販売され、これによりネットワーク管理者は簡単にメインコントロールコンピュータの前にあって、企業内の各コンピュータに特定ソフトをインストール或いは配布できるようになり、さらにはこれにより各コンピュータの使用情況を監視制御し並びに異常情況がある時にリアルタイムで処理できるようになった。
【０００４】
しかし、現在の全ての配布式管理ソフト或いはリモートコントロールソフトはいずれもオペレーションシステムが起動された情況下でなければ順調に運転できない。このため、オペレーションシステム起動前の配布或いはリモートコントロール操作（例えばＢＩＯＳ更新）は順調に行なえない。
【発明の開示】
【発明が解決しようとする課題】
【０００５】
本発明の主要な目的は、一種のリモートコントロール装置を提供することにあり、それはＭＡＣ（Ｍｅｄｉａ  Ａｃｃｅｓｓ  Ｃｏｎｔｒｏｌ）アドレスによりリモートコントロール対象のコンピュータ装置とオンライン接続され、並びに該コンピュータ装置にバーチャルＩＰを賦与した後、実際にＴＣＰ／ＩＰプロトコルによりリモートコントロールを実行するものとする。
【０００６】
本発明のリモートコントロール装置は、ＬＡＮ中でオペレーションシステム未起動のコンピュータ装置に対して遠方よりリモートコントロール操作を行なうのに用いられる。このリモートコントロール装置はオンラインモジュールとリモートコントロールモジュールを具えている。オンラインモジュールはＭＡＣ（Ｍｅｄｉａ  Ａｃｃｅｓｓ  Ｃｏｎｔｒｏｌ）データテーブルに基づいて操作者がリモートコントロールしようとするコンピュータ装置とその所属するＭＡＣアドレスでオンライン接続し、並びにバーチャルＩＰをコンピュータ装置に賦与する。リモートコントロールモジュールはＴＣＰ／ＩＰプロトコルで既にバーチャルＩＰを賦与されたコンピュータ装置に対してリモートコントロール規則によりリモートコントロールを行なう。
【課題を解決するための手段】
【０００７】
請求項１の発明は、ＬＡＮ中でオペレーションシステム未起動のコンピュータ装置に対して遠方よりリモートコントロール操作を行なうのに用いられるリモートコントロール装置であって、該リモートコントロール装置は、
ＭＡＣ（Ｍｅｄｉａ  Ａｃｃｅｓｓ  Ｃｏｎｔｒｏｌ）データテーブルに基づいて操作者によるリモートコントロール対象であるコンピュータ装置と、その所属するＭＡＣアドレスでオンライン接続を構築し、並びにバーチャルＩＰをコンピュータ装置に賦与する、オンラインモジュールと、
ＴＣＰ／ＩＰプロトコルで既にバーチャルＩＰを賦与されたコンピュータ装置に対してリモートコントロール規則によりリモートコントロールを行なう、リモートコントロールモジュールと、
を具えたことを特徴とする、リモートコントロール装置としている。
請求項２の発明は、請求項１記載のリモートコントロール装置において、コンピュータ装置がネットワークパッケージプロセッサを具え、該ネットワークパッケージプロセッサがレジスタ中に一時的に保存されたバーチャルＩＰにより、オペレーションシステム未起動の情況下で、ＴＣＰ／ＩＰプロトコルで遠方のリモートコントロール装置と相互に通信することを特徴とする、リモートコントロール装置としている。
請求項３の発明は、請求項１記載のリモートコントロール装置において、コンピュータ装置が更に、
ハードディスクを少なくとも作業領域とバックアップ領域に区分し、並びに該作業領域を複数のシステム領域に区分し、並びに保護状態を各システム領域に賦与し、並びにコンフィギュアモード下で該保護状態に基づきオペレーションシステムを該作業領域中の対応するシステム領域にインストールするディスク制御ユニットを具えたことを特徴とする、リモートコントロール装置としている。
請求項４の発明は、請求項３記載のリモートコントロール装置において、保護状態が暗号化処理、再構築処理或いはそれらを組み合わせた処理のいずれかとされうることを特徴とする、リモートコントロール装置としている。
請求項５の発明は、請求項４記載のリモートコントロール装置において、再構築処理がバックアップ処理と還元処理を包含し、コンピュータ装置が更に、
コンフィギュアモード下でインストールされたオペレーションシステムとそれが保存するデータをバックアップ領域中にバックアップし、並びにバックアップ領域中にバックアップされたオペレーションシステムとそれが保存するデータを、作業領域の対応するセクタ中に還元するディスク制御ユニットを具えたことを特徴とする、リモートコントロール装置としている。
請求項６の発明は、請求項５記載のリモートコントロール装置において、リモートコントロール規則は操作者の選択に基づき、ディスク制御ユニットに対するリモートコントロールによりハードディスクに対して、作業領域とバックアップ領域に区分し、作業領域を更に複数のシステム領域に区分し、保護状態を各システム領域に賦与し、オペレーションシステムを作業領域中の対応するシステム領域にインストールし、オペレーションシステムとそれが保存するデータをバックアップ領域中にバックアップするか、或いはオペレーションシステムとその保存するデータを作業領域の対応するセクタ中に還元する操作を行なうことを特徴とする、リモートコントロール装置としている。
請求項７の発明は、請求項１記載のリモートコントロール装置において、コンピュータ装置が、更に、
ディスク制御ユニット起動の権限を検証し、コンピュータ装置に出入りする全てのパッケージを走査し、及び安全でないパッケージを封鎖するのに用いられるファイヤウォールユニットを具えたことを特徴とする、リモートコントロール装置としている。
請求項８の発明は、請求項７記載のリモートコントロール装置において、リモートコントロール規則は操作者の選択に基づき、ファイヤウォールユニットのリモートコントロールにより走査の結果及びパッケージの封鎖を処理することを特徴とする、リモートコントロール装置としている。
【発明の効果】
【０００８】
本発明は、一種のリモートコントロール装置を提供し、それはＭＡＣ（Ｍｅｄｉａ  Ａｃｃｅｓｓ  Ｃｏｎｔｒｏｌ）アドレスによりリモートコントロール対象のコンピュータ装置とオンライン接続され、並びに該コンピュータ装置にバーチャルＩＰを賦与した後、実際にＴＣＰ／ＩＰプロトコルによりリモートコントロールを実行する。
【発明を実施するための最良の形態】
【０００９】
図１は本発明のリモートコントロール装置の実施表示図である。本発明のリモートコントロール装置１０はＬＡＮ（Ｌｏｃａｌ  Ａｒｅａ  Ｎｅｔｗｏｒｋ）中でオペレーションシステム未起動のコンピュータ装置１２に対して遠方よりリモートコントロール操作を行なうのに用いられる。
【００１０】
コンピュータ装置１２がオペレーションシステム未起動の状態にあるため、コンピュータ装置１２とのオンライン接続には一時的にＴＣＰ／ＩＰプロトコルを採用できない。ゆえに、本発明のリモートコントロール装置１０は各コンピュータ装置がいずれも有しているＭＡＣ（Ｍｅｄｉａ  Ａｃｃｅｓｓ  Ｃｏｎｔｒｏｌ）アドレス（実際にはネットワークカードが所有する）を利用し、まずコンピュータ装置１２のＭＡＣアドレスに基づきオンライン接続を構築し、並びにコンピュータ装置１２にバーチャルＩＰを賦与した後、ＴＣＰ／ＩＰでリモートコントロール規則により更に煩雑な制御プロセスを実行する。ゆえに、各コンピュータ装置のＭＡＣアドレスは事前に取得する必要があり、これによりリモートコントロール装置１０が知ることのできるＭＡＣアドレスはＭＡＣデータテーブル（事前にこのＬＡＮ中の全てのコンピュータ装置のＭＡＣアドレスが収集される）より取得される。
【００１１】
本発明のリモートコントロール装置１０に合わせてＭＡＣアドレスの後でＴＣＰ／ＩＰプロトコルの通信方式を達成するため、コンピュータ装置１２は更にネットワークパッケージプロセッサ２０を具えている。リモートコントロール装置１０はＭＡＣアドレスによりコンピュータ装置１２とのオンライン接続完成の後、コンピュータ装置１０はネットワークパッケージプロセッサ２０によりバーチャルＩＰを受信し、並びにそれを一時的にレジスタ（図示せず）に保存する必要がある。これにより、オペレーションシステム未起動の情況下でも、遠方のリモートコントロール装置１０中のリモートコントロールモジュール１６がこの一時的に保存されたバーチャルＩＰに基づきＴＣＰ／ＩＰプロトコルで遠方のコンピュータ装置１２と相互に通信できる。
【００１２】
総合すると、本発明のリモートコントロール装置１０はＭＡＣアドレスとバーチャルＩＰの位相組合せにより、ＴＣＰ／ＩＰプロトコルをオペレーションシステム未起動の前に採用して更新ＢＩＯＳの配布或いはリモートコントロール操作を行なうことができる。具体的に本発明の技術特徴を説明するため、以下に周知の技術を例として、いかに同様にオペレーションシステム未起動前のリモートコントロール操作を行なうかについて説明する。
【００１３】
ここで提示する周知の技術の主要な特徴は、ハードディスク（未表示）に対して特殊なアクセス制御を行ない、データ保護の目的を達成するというものである。これにより、先ずハードディスクアクセス制御の部分（即ちディスク制御ユニット１８）を例として説明する。
【００１４】
図１に示されるように、本発明中のディスク制御ユニット１８は以下の機能を有する。即ち、ハードディスクが少なくとも作業領域とバックアップ領域に分けられ、作業領域が更に複数のシステム領域に分けられ、保護状態が各システム領域に賦与され、コンフィギュア（ｃｏｎｆｉｇｕｒｅ）モード下では保護状態に基づきオペレーションシステムが作業領域中の対応するシステム領域にインストールされる。
【００１５】
上述の保護状態は暗号化処理、再構築処理或いはそれらを組み合わせた処理とされ、再構築処理は更にバックアップ処理と還元処理に分けられ、ゆえに、ディスク制御ユニット１８もまた以下の機能を提供する。即ち、コンフィギュアモード下でインストールされたオペレーションシステムとそれが保存するデータをバックアップ領域中にバックアップし、並びにバックアップ領域中にバックアップされたオペレーションシステムとそれが保存するデータを、作業領域の対応するセクタ中に還元する。
【００１６】
こうして、操作者の選択により、リモートコントロールモジュール１６がＴＣＰ／ＩＰプロトコルで（コンピュータ装置１２にバーチャルＩＰが賦与された後）、リモートコントロール規則により、ディスク制御ユニット１８を通してディスクに対して以下を行なうことができる。即ち、作業領域とバックアップ領域に区分し、作業領域を更に複数のシステム領域に区分し、保護状態を各システム領域に賦与し、オペレーションシステムを作業領域中の対応するシステム領域にインストールし、オペレーションシステムとそれが保存するデータをバックアップ領域中にバックアップするか、或いはオペレーションシステムとその保存するデータを作業領域の対応するセクタ中に還元する。
【００１７】
図２を参照されたい。図２は本発明のリモートコントロール装置のもう一つの実施例表示図である。コンピュータ装置１２が更にファイヤウォールユニット２２を包含する時も、ほぼ同じリモートコントロール方式を有する。このファイヤウォールユニット２２はディスク制御ユニット１８起動の権限を検証し、コンピュータ装置１２に出入りする全てのパッケージを走査し、及び安全でないパッケージを封鎖するのに用いられる。ゆえに、本発明のリモートコントロールモジュール１６が採用するリモートコントロール規則は操作者の選択に基づき、ファイヤウォールユニット２２をリモートコントロールして権限、走査の結果及びパッケージの封鎖を処理する。
【００１８】
以上は好ましい実施例の説明であって本発明の特徴と精神を明確に記載するためのものであり、本発明の範囲を制限するものではなく、以上の説明及び図面の記載に基づきなしうる細部の修飾或いは改変は、いずれも本発明の請求範囲に属するものとする。
【図面の簡単な説明】
【００１９】
【図１】本発明のリモートコントロール装置の実施表示図である。
【図２】本発明のリモートコントロール装置のもう一つの実施例表示図である。
【符号の説明】
【００２０】
１０  リモートコントロール装置
１２  コンピュータ装置
１４  オンラインモジュール
１６  リモートコントロールモジュール
１８  ディスク制御ユニット
２０  ネットワークパッケージプロセッサ
２２  ファイヤウォールユニット
【図１】
2006309501.tif 000003
【図２】
2006309501.tif 000004